(57)【要約】【課題】副走査方向の読み取り速度（副走査速度）を、副走査方向の読み取り解像度に反比例する以上の高速にすることができる画像読取装置を提供すること。【解決手段】主走査方向解像度Ａ×副走査方向解像度Ｂのモノクロ画像を、（ｄ／Ｔ）の副走査速度での読み取りにより得ることができる画像読取装置において、主走査方向解像度（Ａ／２）×副走査方向解像度（Ｂ／２）のモノクロ画像を得る場合に、副走査速度を従来の２倍の（４ｄ／Ｔ）の速度で、従来と比較してほとんど画質の劣化なく読み取る。【選択図】    図４
2005020122.tif 000002
【特許請求の範囲】
【請求項１】
主走査方向を解像度Ａで読み取る一方、１ライン分の副走査ライン画像を読み取るために単位蓄積時間Ｔを要するラインイメージセンサを備え、光源からの光を照射された原稿からの反射光を、副走査方向に前記単位蓄積時間Ｔ当たり距離ｄだけ移動する副走査速度（ｄ／Ｔ）で前記原稿に対して副走査方向に相対移動する前記ラインイメージセンサにより副走査方向解像度Ｂで原稿を読み取って、主走査方向解像度Ａ×副走査方向解像度Ｂのモノクロ画像を、（ｄ／Ｔ）の副走査速度での読み取りにより得ることができる画像読取装置において、
前記ラインイメージセンサが備えるライン状に配列した受光素子群を、奇数番目の受光素子群と、偶数番目の受光素子群とが交互に配列されたものとして構成する一方、
共に前記単位蓄積時間Ｔの間隔で、互いに（Ｔ／２）のタイミングだけずらして、前記奇数番目及び偶数番目のそれぞれの受光素子群から、共に主走査方向の解像度が（Ａ／２）の副走査ライン画像を順次出力させると共に、前記副走査速度を（４ｄ／Ｔ）とする読取制御手段と、
前記奇数番目及び偶数番目のそれぞれの受光素子群から（Ｔ／２）のタイミングだけずれて出力される副走査ライン画像を順に出力する画像処理手段とを備え、
（４ｄ／Ｔ）の副走査速度での読み取りにより、主走査方向解像度（Ａ／２）×副走査方向解像度（Ｂ／２）のモノクロ画像を得ることを可能としたことを特徴とする画像読取装置。
【請求項２】
主走査方向を解像度Ａで読み取る一方、１ライン分の副走査ライン画像を読み取るために単位蓄積時間Ｔを要するラインイメージセンサを備え、光源からの光を照射された原稿からの反射光を、副走査方向に前記単位蓄積時間Ｔ当たり距離ｄだけ移動する副走査速度（ｄ／Ｔ）で前記原稿に対して副走査方向に相対移動する前記ラインイメージセンサにより副走査方向解像度Ｂで原稿を読み取って、主走査方向解像度Ａ×副走査方向解像度Ｂのモノクロ画像を、（ｄ／Ｔ）の副走査速度での読み取りにより得ることができる画像読取装置において、
前記ラインイメージセンサが備えるライン状に配列した受光素子群を、（Ｎ・ｎ＋１）（Ｎは２以上の整数、ｎ＝０、１，２，３，…）番目の画素により構成される部分受光素子群ないし、（Ｎ・ｎ＋Ｎ）番目の画素により構成される部分受光素子群が交互に配列されたものとして構成する一方、
全て前記単位蓄積時間Ｔの間隔で、互いに（Ｔ／Ｎ）のタイミングだけずらして、前記各部分受光素子群から、主走査方向の解像度が（Ａ／Ｎ）の副走査ライン画像を順次出力させると共に、前記副走査速度を（ｄ／Ｔ）×Ｎ×Ｍ（Ｍは１以上の整数）とする読取制御手段と、
前記各部分受光素子群から（Ｔ／Ｎ）のタイミングだけずれて出力される副走査ライン画像を順に出力する画像処理手段とを備え、
（ｄ／Ｔ）×Ｎ×Ｍの副走査速度での読み取りにより、主走査方向解像度（Ａ／Ｎ）×副走査方向解像度（Ｂ／Ｍ）のモノクロ画像を得ることを可能としたことを特徴とする画像読取装置。
【請求項３】
主走査方向を解像度Ａで読み取る一方、１ライン分の副走査ライン画像を読み取るために単位蓄積時間Ｔを要するラインイメージセンサを備え、第１ないし第３の３原色の光源からの光が前記単位蓄積時間Ｔの間隔で順次切り換え照射された原稿からの反射光を、副走査方向に前記単位蓄積時間Ｔ当たり距離（ｄ／３）だけ移動する副走査速度（ｄ／３Ｔ）で前記原稿に対して副走査方向に相対移動する前記ラインイメージセンサにより副走査方向解像度Ｂで原稿を読み取って、主走査方向解像度Ａ×副走査方向解像度Ｂのカラー画像を、（ｄ／３Ｔ）の副走査速度での読み取りにより得ることができる画像読取装置において、
前記ラインイメージセンサが備えるライン状に配列した受光素子群を、奇数番目の受光素子群と、偶数番目の受光素子群とが交互に配列されたものとして構成する一方、
共に前記単位蓄積時間Ｔの間隔で、互いに（Ｔ／２）のタイミングだけずらして、前記奇数番目及び偶数番目のそれぞれの受光素子群から、共に主走査方向の解像度が（Ａ／２）の副走査ライン画像を順次出力させると共に、前記副走査速度を（ｄ／Ｔ）とし、更に、時間（Ｔ／２）の間隔で前記第１ないし第３の３原色の光源を、第１、第２、第３、第１の順で繰り返し切り換え点灯させる共に前記奇数番目及び偶数番目のそれぞれの受光素子群における前記単位蓄積時間Ｔの前半の（Ｔ／２）の期間に蓄積された電荷を電子シャッターによりリークさせて捨てる読取制御手段と、
前記奇数番目及び偶数番目のそれぞれの受光素子群から（Ｔ／２）のタイミングだけずれて、第１、第２、第３、第１の各色に対応して順で繰り返し出力される副走査ライン画像のうちの、重複する第１色のラインを単一ラインに統合して、第１、第２及び第３の各色に対応した副走査ラインとして順に繰り返し出力する画像処理手段とを備え、
（ｄ／Ｔ）の副走査速度での読み取りにより、主走査方向解像度（Ａ／２）×副走査方向解像度（Ｂ／２）のカラー画像を得ることを可能としたことを特徴とする画像読取装置。
【請求項４】
主走査方向を解像度Ａで読み取る一方、１ライン分の副走査ライン画像を読み取るために単位蓄積時間Ｔを要するラインイメージセンサを備え、第１ないし第３の３原色の光源からの光が前記単位蓄積時間Ｔの間隔で順次切り換え照射された原稿からの反射光を、副走査方向に前記単位蓄積時間Ｔ当たり距離（ｄ／３）だけ移動する副走査速度（ｄ／３Ｔ）で前記原稿に対して副走査方向に相対移動する前記ラインイメージセンサにより副走査方向解像度Ｂで原稿を読み取って、主走査方向解像度Ａ×副走査方向解像度Ｂのカラー画像を、（ｄ／３Ｔ）の副走査速度での読み取りにより得ることができる画像読取装置において、
前記ラインイメージセンサが備えるライン状に配列した受光素子群を、奇数番目の受光素子群と、偶数番目の受光素子群とが交互に配列されたものとして構成する一方、
共に前記単位蓄積時間Ｔの間隔で、互いに（Ｔ／２）のタイミングだけずらして、前記奇数番目及び偶数番目のそれぞれの受光素子群から、共に主走査方向の解像度が（Ａ／２）の副走査ライン画像を順次出力させると共に、前記副走査速度を（４ｄ／３Ｔ）とし、更に、時間（Ｔ／２）の間隔で前記第１ないし第３の３原色の光源を、第１、第２、第３の順で繰り返し切り換え点灯させる共に前記奇数番目及び偶数番目のそれぞれの受光素子群における前記単位蓄積時間Ｔの前半の（Ｔ／２）の期間に蓄積された電荷を電子シャッターによりリークさせて捨てる読取制御手段と、
前記奇数番目及び偶数番目のそれぞれの受光素子群から（Ｔ／２）のタイミングだけずれて、第１、第２、第３の各色に対応して順で繰り返し出力される副走査ライン画像を第１、第２及び第３の各色に対応した副走査ラインとして順に繰り返し出力する画像処理手段とを備え、
（４ｄ／３Ｔ）の副走査速度での読み取りにより、主走査方向解像度（Ａ／２）×副走査方向解像度（Ｂ／２）のカラー画像を得ることを可能としたことを特徴とする画像読取装置。
【発明の詳細な説明】
【０００１】
【発明の属する技術分野】
本発明は、スキャナ装置、ファクシミリ装置、複写機、デジタル複合機などに適用可能な画像読取装置に関し、特に、相対的に副走査方向に移動するモノクロまたはカラーの原稿をラインイメージセンサにより読み取り、モノクロまたはカラーの画像データを得る画像読取装置に関する。
【０００２】
【従来の技術】
画像読取装置は、一次元に多数の受光素子（受光素子群）が配列されたラインイメージセンサに対して副走査方向に相対移動する読み取り対象の原稿に対して、モノクロ（単色）またはカラー（３原色）光源からの光を照射し、その原稿からの反射光を前記ラインイメージセンサによりライン単位で読み取ることで、２次元の画像データを得るものが一般的である。
【０００３】
通常、この種の画像読取装置がカラー原稿を読み取る場合、赤色（Ｒ），緑色（Ｇ），青色（Ｂ）の３原色の光源を順次切り替えて原稿画像の読み取りを行い、３ライン連続して得られる、Ｒ，Ｇ，Ｂの各原色ラインの画像をもって、１ライン分のカラー画像としている。
【０００４】
この場合、読取りの限界の速度（原稿の副走査方向の相対的な移動速度）が、ラインイメージセンサが備える受光素子群における単位蓄積時間Ｔ（入射光を電荷に変換するのに要する最小限度の時間）に依存すると仮定すると、カラー読取りの場合にはモノクロ読み取りの場合に比べて、１ライン分のカラー画像を得るために３Ｔの時間を要する。
【０００５】
そのため、例えば４００ｄｐｉの解像度の画像を得る場合、カラー原稿の場合は３Ｔ×（副走査ライン総数）、モノクロ原稿の場合はＴ×（副走査ライン総数）の読み取り時間を要する。同一サイズの原稿を４００ｄｐｉで読み取るばあい、カラー原稿でもモノクロ原稿でも、（副走査ライン総数）は同一のめた、
カラー原稿の読み取りには、モノクロ原稿の読み取りの３倍の時間を要することになる。言い換えれば、カラー原稿の読み取り速度は、モノクロ原稿のそれの１／３となる。
【０００６】
そのため、カラー原稿の読み取り速度の高速化は、モノクロ画像のそれの高速化以上に求められるものである。
【０００７】
一方、デジタル複合機などにおいて、例えば、普段は４００ｄｐｉの上限の読み取り解像度でモノクロまたはカラー原稿の読み取りを行う一方、ファクシミリ送信の場合には、受信側装置の画像記録解像度に合うように、原稿を読み取って最終的に得る必要のある画像の解像度が、装置の上限の解像度（この場合４００ｄｐｉ）より低い、例えば２００ｄｐｉであるような場合がある
また、デジタル複合機が、原稿を読み取って得た画像を他装置に渡す、スキャナ機能を実行する場合に、敢えて２００ｄｐｉの低い読み取り解像度が設定される場合もあり得る。
【０００８】
そのような場合、通常、主走査方向及び副走査方向の上限の読み取り解像度が共に４００ｄｐｉの画像読取装置により、主走査方向及び副走査方向共に２００ｄｐｉの出力画像を得る場合でも、主走査方向及び副走査方向共に４００ｄｐｉで読み取り得られた出力画像を、副走査方向及び主走査方向に画素間引処理して、２００ｄｐｉの画像を得るようにしているため、読み取り速度を高めることができない。
【０００９】
主走査方向の読み取り解像度は４００ｄｐｉでも、副走査方向の読み取り解像度を２００ｄｐｉにして、主走査方向の解像度を後段の画像処理において、２００ｄｐｉに間引き処理すれば、主走査方向、副走査方向共に２００ｄｐｉの画像を得ることはできる。
【００１０】
しかし、副走査方向の読み取り解像度が４００ｄｐｉの場合における前記単位蓄積時間Ｔの間の原稿上における副走査方向の移動距離をｄとすると、副走査方向の読み取り解像度が２００ｄｐｉの場合には前記単位蓄積時間Ｔの間に２ｄの距離を移動するのが限界である。なぜなら、それ以上の高速で副走査方向に移動すると、前記ラインイメージセンサが備える受光素子群において、電荷蓄積時間が前記単位蓄積時間Ｔ以下となってしまって、光電変換が不十分となり、得られる画像の画質に悪影響がでてしまうためである。
【００１１】
そのため、主走査方向及び副走査方向の読み取り解像度が共に４００ｄｐｉの画像読取装置において、主走査方向及び副走査方向の解像度が共に２００ｄｐｉの画像を得ようとする場合、読み取り速度（同一原稿を１枚読み取り完了するのに要する時間）をたかだか２倍にしかすることができない一方、主走査方向には、後段の画像処理において結果的に間引かれてしまう、無駄に高解像度の４００ｄｐｉで読み取っていた。
【００１２】
もっとも、特許文献１に記載の従来技術のように、ラインイメージセンサからの出力段階で、主走査方向で間引いて、低解像度の画像が必要なときには主走査方向を無駄に高解像度で読み取らないようにして、後段の画像処理負担の軽減を図るようにしたものがある。
【００１３】
【特許文献１】
特開平０６−２０３３７８号公報
【００１４】
【発明が解決しようとする課題】
しかし、上記特許文献１に記載の従来技術をもってしても、例えば、副走査方向の読み取り解像度の上限が４００ｄｐｉで、副走査方向をその半分の２００ｄｐｉで読み取る場合おいて、たかだか２倍の読み取り速度でしか読み取ることができないことには変わりがない。
【００１５】
このように、従来の画像読取装置においては、副走査方向の読み取り解像度を、上限の解像度よりも低い解像度、例えば２分の１の解像度にすれば、読み取り速度が２倍になる、というように、解像度に反比例した速度までしか読み取り速度を上げることができない一方、主走査方向では無駄に高解像度で読み取られるか、または、読み取り段階で間引いて捨ててしまっていて、主走査方向の読み取りにおいて得ることが可能な情報を有効活用できていないという問題点があった。
【００１６】
本発明は係る事情に鑑みてなされたものであり、上限の主走査方向及び副走査方向の解像度よりも低い解像度の画像を得る場合に、主走査方向を読み取って得ることが可能な情報を有効活用して、副走査方向の読み取り速度（副走査速度）を、副走査方向の読み取り解像度に反比例する以上の高速にすることができる画像読取装置を提供することを目的とする。
【００１７】
【課題を解決するための手段】
請求項１に記載の画像読取装置は、主走査方向を解像度Ａで読み取る一方、１ライン分の副走査ライン画像を読み取るために単位蓄積時間Ｔを要するラインイメージセンサを備え、光源からの光を照射された原稿からの反射光を、副走査方向に前記単位蓄積時間Ｔ当たり距離ｄだけ移動する副走査速度（ｄ／Ｔ）で前記原稿に対して副走査方向に相対移動する前記ラインイメージセンサにより副走査方向解像度Ｂで原稿を読み取って、主走査方向解像度Ａ×副走査方向解像度Ｂのモノクロ画像を、（ｄ／Ｔ）の副走査速度での読み取りにより得ることができる画像読取装置において、前記ラインイメージセンサが備えるライン状に配列した受光素子群を、奇数番目の受光素子群と、偶数番目の受光素子群とが交互に配列されたものとして構成する一方、共に前記単位蓄積時間Ｔの間隔で、互いに（Ｔ／２）のタイミングだけずらして、前記奇数番目及び偶数番目のそれぞれの受光素子群から、共に主走査方向の解像度が（Ａ／２）の副走査ライン画像を順次出力させると共に、前記副走査速度を（４ｄ／Ｔ）とする読取制御手段と、前記奇数番目及び偶数番目のそれぞれの受光素子群から（Ｔ／２）のタイミングだけずれて出力される副走査ライン画像を順に出力する画像処理手段とを備え、（４ｄ／Ｔ）の副走査速度での読み取りにより、主走査方向解像度（Ａ／２）×副走査方向解像度（Ｂ／２）のモノクロ画像を得ることを可能としたことを特徴とする。
【００１８】
請求項２に記載の画像読取装置は、主走査方向を解像度Ａで読み取る一方、１ライン分の副走査ライン画像を読み取るために単位蓄積時間Ｔを要するラインイメージセンサを備え、光源からの光を照射された原稿からの反射光を、副走査方向に前記単位蓄積時間Ｔ当たり距離ｄだけ移動する副走査速度（ｄ／Ｔ）で前記原稿に対して副走査方向に相対移動する前記ラインイメージセンサにより副走査方向解像度Ｂで原稿を読み取って、主走査方向解像度Ａ×副走査方向解像度Ｂのモノクロ画像を、（ｄ／Ｔ）の副走査速度での読み取りにより得ることができる画像読取装置において、前記ラインイメージセンサが備えるライン状に配列した受光素子群を、（Ｎ・ｎ＋１）（Ｎは２以上の整数、ｎ＝０、１，２，３，…）番目の画素により構成される部分受光素子群ないし、（Ｎ・ｎ＋Ｎ）番目の画素により構成される部分受光素子群が交互に配列されたものとして構成する一方、全て前記単位蓄積時間Ｔの間隔で、互いに（Ｔ／Ｎ）のタイミングだけずらして、前記各部分受光素子群から、主走査方向の解像度が（Ａ／Ｎ）の副走査ライン画像を順次出力させると共に、前記副走査速度を（ｄ／Ｔ）×Ｎ×Ｍ（Ｍは１以上の整数）とする読取制御手段と、前記各部分受光素子群から（Ｔ／Ｎ）のタイミングだけずれて出力される副走査ライン画像を順に出力する画像処理手段とを備え、（ｄ／Ｔ）×Ｎ×Ｍの副走査速度での読み取りにより、主走査方向解像度（Ａ／Ｎ）×副走査方向解像度（Ｂ／Ｍ）のモノクロ画像を得ることを可能としたことを特徴とする。
【００１９】
請求項３に記載の画像読取装置は、主走査方向を解像度Ａで読み取る一方、１ライン分の副走査ライン画像を読み取るために単位蓄積時間Ｔを要するラインイメージセンサを備え、第１ないし第３の３原色の光源からの光が前記単位蓄積時間Ｔの間隔で順次切り換え照射された原稿からの反射光を、副走査方向に前記単位蓄積時間Ｔ当たり距離（ｄ／３）だけ移動する副走査速度（ｄ／３Ｔ）で前記原稿に対して副走査方向に相対移動する前記ラインイメージセンサにより副走査方向解像度Ｂで原稿を読み取って、主走査方向解像度Ａ×副走査方向解像度Ｂのカラー画像を、（ｄ／３Ｔ）の副走査速度での読み取りにより得ることができる画像読取装置において、前記ラインイメージセンサが備えるライン状に配列した受光素子群を、奇数番目の受光素子群と、偶数番目の受光素子群とが交互に配列されたものとして構成する一方、共に前記単位蓄積時間Ｔの間隔で、互いに（Ｔ／２）のタイミングだけずらして、前記奇数番目及び偶数番目のそれぞれの受光素子群から、共に主走査方向の解像度が（Ａ／２）の副走査ライン画像を順次出力させると共に、前記副走査速度を（ｄ／Ｔ）とし、更に、時間（Ｔ／２）の間隔で前記第１ないし第３の３原色の光源を、第１、第２、第３、第１の順で繰り返し切り換え点灯させる共に前記奇数番目及び偶数番目のそれぞれの受光素子群における前記単位蓄積時間Ｔの前半の（Ｔ／２）の期間に蓄積された電荷を電子シャッターによりリークさせて捨てる読取制御手段と、前記奇数番目及び偶数番目のそれぞれの受光素子群から（Ｔ／２）のタイミングだけずれて、第１、第２、第３、第１の各色に対応して順で繰り返し出力される副走査ライン画像のうちの、重複する第１色のラインを単一ラインに統合して、第１、第２及び第３の各色に対応した副走査ラインとして順に繰り返し出力する画像処理手段とを備え、（ｄ／Ｔ）の副走査速度での読み取りにより、主走査方向解像度（Ａ／２）×副走査方向解像度（Ｂ／２）のカラー画像を得ることを可能としたことを特徴とする。
【００２０】
請求項４に記載の画像読取装置は、主走査方向を解像度Ａで読み取る一方、１ライン分の副走査ライン画像を読み取るために単位蓄積時間Ｔを要するラインイメージセンサを備え、第１ないし第３の３原色の光源からの光が前記単位蓄積時間Ｔの間隔で順次切り換え照射された原稿からの反射光を、副走査方向に前記単位蓄積時間Ｔ当たり距離（ｄ／３）だけ移動する副走査速度（ｄ／３Ｔ）で前記原稿に対して副走査方向に相対移動する前記ラインイメージセンサにより副走査方向解像度Ｂで原稿を読み取って、主走査方向解像度Ａ×副走査方向解像度Ｂのカラー画像を、（ｄ／３Ｔ）の副走査速度での読み取りにより得ることができる画像読取装置において、前記ラインイメージセンサが備えるライン状に配列した受光素子群を、奇数番目の受光素子群と、偶数番目の受光素子群とが交互に配列されたものとして構成する一方、共に前記単位蓄積時間Ｔの間隔で、互いに（Ｔ／２）のタイミングだけずらして、前記奇数番目及び偶数番目のそれぞれの受光素子群から、共に主走査方向の解像度が（Ａ／２）の副走査ライン画像を順次出力させると共に、前記副走査速度を（４ｄ／３Ｔ）とし、更に、時間（Ｔ／２）の間隔で前記第１ないし第３の３原色の光源を、第１、第２、第３の順で繰り返し切り換え点灯させる共に前記奇数番目及び偶数番目のそれぞれの受光素子群における前記単位蓄積時間Ｔの前半の（Ｔ／２）の期間に蓄積された電荷を電子シャッターによりリークさせて捨てる読取制御手段と、前記奇数番目及び偶数番目のそれぞれの受光素子群から（Ｔ／２）のタイミングだけずれて、第１、第２、第３の各色に対応して順で繰り返し出力される副走査ライン画像を第１、第２及び第３の各色に対応した副走査ラインとして順に繰り返し出力する画像処理手段とを備え、（４ｄ／３Ｔ）の副走査速度での読み取りにより、主走査方向解像度（Ａ／２）×副走査方向解像度（Ｂ／２）のカラー画像を得ることを可能としたことを特徴とする。
【００２１】
【発明の実施の形態】
以下、添付図面を参照しながら、本発明の実施の形態を詳細に説明する。
【００２２】
先ず、図１に、本発明の実施の形態に係る画像処理装置としてのファクシミリ装置１のブロック構成について示す。
【００２３】同
図において、ファクシミリ装置１は、ＣＰＵ２、ＲＯＭ３、ＲＡＭ４、操作表示部５，スキャナ６、プロッタ７、パラメータメモリ８、タイマ制御部９、符号化復号化部１０、通信制御部１１、モデム１２、網制御部１３、及び、システムバスにより構成されている。
【００２４】
ＣＰＵ２は、ＲＯＭ３に書き込まれた制御プログラムに従って、ＲＡＭ４を作業領域として使用しながら、装置各部を制御する中央演算処理装置である。
【００２５】
ＲＯＭ３は、前述したように、ＣＰＵ２が上記装置各部を制御するための制御プログラムが記憶されているリードオンリメモリである。
【００２６】
ＲＡＭ４は、前述したようにシステム制御部２の作業領域として使用されるランダムアクセスメモリである。
【００２７】
操作表示部５は、図示は省略するが、宛先電話番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００２８】
スキャナ６は、４００ｄｐｉを主走査方向及び副走査方向を読み取り解像度を上限してモノクロまたはカラーの原稿を読み取ってモノクロまたはカラーの画像を得るためのものである。スキャナ６の詳細については後述する。なお、本発明が適用可能な画像読取装置の主走査方向及び副走査方向の上限の読み取り解像度は４００ｄｐｉに限定されるものではなく、それ以外の読み取り解像度であってもよいのはいうまでもない。
【００２９】
プロッタ７は、ファクシミリ受信した画像や、スキャナ６により複写のために読み取った画像を、記録紙上に形成して出力するためのものである。
【００３０】
パラメータメモリ８は、装置動作に必要な各種情報が記憶されると共に、装置の電源がオフされた状態でもその記憶内容を保持するメモリであり、具体的には、ＥＥＰＲＯＭ（電気的に書き換え可能な読み出し専用メモリ）や、バッテリバックアップされたＳＲＡＭ（スタティックＲＡＭ）などにより構成されるものである。
【００３１】
タイマ制御部９は、タイマ動作を制御するものであり、ＣＰＵ２から設定された時定数を設定されたタイマをカウントダウンし、タイマがタイムアウトするとＣＰＵ２にその旨システムバス１４を介して通知して、時定数で設定された時間の経過を計時するものである。
【００３２】
符号化復号化部１０は、送信画像データを、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長して基の画像データを得るためのものである。
【００３３】
通信制御部１１は、モデム１２や網制御部１３によるファクシミリ通信を制御するためのものである。
【００３４】
モデム１２は、ファクシミリモデム機能を備え、網制御部１３を介して、回線２０を介して相手装置に送信するデータを変調して送信信号Ｒとして送出する一方、網制御部１３を介して回線２０を介した相手装置からの受信信号Ｒを復調するものであり、伝送手順信号をやりとりするための低速モデム機能（Ｖ．２１モデム）、及び、主に画像データをやりとりするための高速モデム機能である、Ｖ．１７、Ｖ．３３、Ｖ．３４、Ｖ．２９、Ｖ．２７ｔｅｒの各モデム機能を備えている。モデム９は、ダイヤル番号に対応したＤＴＭＦ信号の生成・送出も行う。
【００３５】
網制御部１３は、回線２０に接続されて、回線の直流ループの閉結・解放や、回線の極性反転の検出、回線解放の検出、発信音の検出、ビジートーン等のトーン信号の検出、呼出信号の検出等の回線との接続制御や、ダイヤルパルスの生成を行うものであり、また、自動発着信機能も備えている。
【００３６】
システムバス１４は、上記各部がデータをやり取りするための信号ラインであり、具体的には、データバス、アドレスバス、Ｉ／Ｏバス、制御バス、割り込み信号ラインなどにより構成されるものである。
【００３７】
図２に、ファクシミリ装置１のスキャナ６の構成について示す。
【００３８】
同図において、読取制御手段６１は、システムバス１４を介したＣＰＵ２からの読み取り解像度などの指示に応じて、ラインイメージセンサ６２に対する読み取り対象の原稿の副走査方向の相対移動速度（副走査速度）を、副走査速度制御信号Ｓｆによるスキャナモータ７１の回転速度制御により、所定速度に制御する。
【００３９】
また、読取制御手段６１は、Ｒ（赤）光源点灯信号Ｓｒ、Ｇ（緑）光源点灯信号Ｓｇ、及び、Ｂ（青）光源点灯信号Ｓｂの各信号のＯＮ／ＯＦＦ制御により、対応する、Ｒ光源７２、Ｇ光源７３、及び、Ｂ光源７４の各光源の点灯／消灯を制御する。
【００４０】
また、読取制御手段６１は、ラインイメージセンサ６２に供給するセンサ制御信号群を構成する各信号のタイミング制御を行う。
【００４１】
ラインイメージセンサ６２は、読取制御手段６１からセンサ制御信号群による制御により、出力画像信号ＯＳ＿１、及び、ＯＳ＿２を出力する。詳細は後述するが、信号ＯＳ＿１は、奇数番目の各受光素子からの出力信号列であり、信号ＯＳ＿２は、偶数番目の各受光素子からの出力信号列である。
【００４２】
ラインイメージセンサ６２からの信号ＯＳ＿１及び信号ＯＳ＿２は、画像処理手段６３によりデジタルデータに変換される共に、読み取り解像度の設定に応じた、画素並べ替え処理、画素間引き処理、画素除外処理などが行われた後、システムバス１４を介してＲＡＭ４に格納される。
【００４３】
ＣＰＵ２は、そのようにして、ＲＡＭ４に格納された、スキャナ６によりモノクロまたはカラーの原稿を読み取って得られた、指定した解像度のモノクロまたはカラーの画像データを、ファクシミリ送信や、プロッタ７による複写出力のために使用する。
【００４４】
なお、本実施の形態では、原稿を読み取って得られた画像の用途は、ファクシミリ送信または複写出力に限られるが、本発明に係る画像処理装置により得られた画像データの用途により本発明は限定されるものではなく、原稿を読み取って得られた画像を表示したり、ファイリング保存したり、他装置に転送したり（スキャナ機能）するなど、その他の用途に使用してよいのはいうまでもない。
【００４５】
図３に、スキャナ６の副走査機構について模式的に示す。
【００４６】
同図において、ＣＣＤ方式のラインイメージセンサ６２は、レンズ８７と共に画像読取装置１本体側に固定される。また、コンタクトガラス８０上には、読み取り対象の原稿９０が読み取り面を下にして載置される。
【００４７】
一方、コンタクトガラス８０の下方の空間に副走査方向に移動可能に配置された、第１キャリッジ８２と、第２キャリッジ８３とは、スキャナモータ７１の回転に応じて、副走査方向に設定された副走査速度で移動する。
【００４８】
第１キャリッジ８２には、Ｒ、Ｇ及びＢの各光源７２、７３、及び７４が搭載されていて、原稿９０の読み取り面を照明する。その照明の読み取り面からの反射光は、第１キャリッジ８２に搭載されたミラー８４、第２キャリッジに搭載されたミラー８５及び８６を介して反射されてレンズ８７に入射し、ラインイメージセンサ６２に合焦して、原稿画像が読み取られる。
【００４９】
原稿の配置範囲外のコンタクトガラス８０上に配置された基準白板８１は、画像処理手段６３において各受光素子の感度のばらつきを正規化補正する処理であるシェーディング補正処理を行うために必要な白基準データを収集するために、必要に応じて読み取られるものである。
【００５０】
なお、本実施の形態では、ラインイメージセンサ６２としてＣＣＤを用い、縮小光学系を組み合わせた場合に本発明を適用しているが、本発明はそれに限らず、ラインイメージセンサに対して読み取り対象の原稿が副走査方向に相対移動する構成のもの、例えば、等倍の密着イメージセンサなどを用いた構成のものであっても、同様に適用可能であることはいうまでもない。
【００５１】
図４に、ラインイメージセンサ６２の構成について示す。
【００５２】
同図において、ラインイメージセンサ６２には、読取制御手段６１からのセンサ制御信号群が入力される。
【００５３】
そのセンサ制御信号群は、シフトパルス信号ＳＨ１、ＳＨ２、リークパルス信号Ｌ１，Ｌ２、及び、基本動作クロックφ１，φ２により構成されている。なお、センサ制御信号群としては、リセットパルス信号などその他の信号も含まれるが省略している。
【００５４】
ラインイメージセンサ６２は、第Ｓ（１）番目から第Ｓ（２ｎ）番目までの２ｎ個の受光素子がライン状に配列された受光素子群９０を中心に構成されている。
【００５５】
受光素子群９０は、Ｓ（１）、Ｓ（３）、…、Ｓ（２ｎ−１）の奇数番目の受光素子群（受光素子群９０＿１と称する）と、Ｓ（２）、Ｓ（４）、…、Ｓ（２ｎ）の偶数番目の受光素子群（受光素子群９０＿２と称する）とが、物理的にライン状に交互に配置されたものとして構成される。
【００５６】
奇数番目の受光素子群９０＿１を構成する各受光素子は、入射する原稿からの反射光の総光量に比例する量の電荷を蓄積するが、その各受光素子に蓄積された電荷は、電子シャッター９１＿１に入力されるリークパルス信号Ｌ１がアクティブになると、出力画像信号となることなく逃がされるが、リークパルス信号Ｌ１がネガティブ状態の場合には、その電荷を保持する。
【００５７】
その奇数番目の各受光素子が保持する電荷は、シフトパルス信号ＳＨ１がアクティブになると導通状態になり、ネガティブになると非導通状態になる、各受光素子ごとに配置されたアナログスイッチ群であるシフトゲート９２＿１が、シフトパルス信号ＳＨ１がアクティブになると導通状態となって、各受光素子ごとの電荷を受けるレジスタ群であるシフトレジスタ９３＿１に、各受光素子に蓄積された電荷が移送されると共に、基本動作クロックφ１，φ２により駆動されて、順次出力部９４＿１に入力されて、電荷／電圧変換された上で、Ｓ（１）、Ｓ（３）、…、Ｓ（２ｎ−１）の順に出力されるシリアルの出力画像信号ＯＳ＿１として出力される。
【００５８】
一方、偶数番目の受光素子群９０＿２を構成する各受光素子は、入射する原稿からの反射光の総光量に比例する量の電荷を蓄積するが、その各受光素子に蓄積された電荷は、電子シャッター９２＿２に入力されるリークパルス信号Ｌ２がアクティブになると、出力画像信号となることなく逃がされるが、リークパルス信号Ｌ２がネガティブ状態の場合には、その電荷を保持する。
【００５９】
その偶数番目の各受光素子が保持する電荷は、シフトパルス信号ＳＨ２がアクティブになると導通状態になり、ネガティブになると非導通状態になる、各受光素子ごとに配置されたアナログスイッチ群であるシフトゲート９２＿２が、シフトパルス信号ＳＨ２がアクティブになると導通状態となって、各受光素子ごとの電荷を受けるレジスタ群であるシフトレジスタ９３＿２に、各受光素子に蓄積された電荷が移送されると共に、基本動作クロックφ１，φ２により駆動されて、順次出力部９４＿２に入力されて、電荷／電圧変換された上で、Ｓ（２）、Ｓ（４）、…、Ｓ（２ｎ）の順に出力されるシリアルの出力画像信号ＯＳ＿２として出力される。
【００６０】
次に、スキャナ６において、４００ｄｐｉによりモノクロ原稿を読み取る場合における、読取制御手段６１が出力する各センサ制御信号のタイミング関係について、図５に模式的に示す。
【００６１】
同図において、シフトパルス信号ＳＨ１、ＳＨ２、リークパルス信号Ｌ１，Ｌ２、や、出力画像信号ＯＳ＿１、ＯＳ＿２は、基本動作クロックφ１及びそのφ１と逆位相のφ２に同期してパルス状にアクティブになったり、各画素の受光素子からの画像信号を出力する。
【００６２】
リークパルスＬ１，Ｌ２は、常にネガティブ状態を保ち、電子シャッター９１＿１、９１＿２が動作して蓄積電荷が画像信号として出力されずにリークされてしまうことはない。
【００６３】
シフトパルスＳＨ１及びＳＨ２は、単位蓄積時間Ｔ間隔の同一タイミングｔ１で、アクティブパルスを出力し、それにより、受光素子群９０＿１、及び、９０＿２にそれぞれ蓄積された電荷は、それぞれシフトレジスタ９３＿１、及び、９３＿２に並行移動され、タイミングｔ２までの単位蓄積時間Ｔの間に、それぞれ、出力画像信号ＯＳ＿１及びＯＳ＿２として、第（２ｎ）番目の画素の信号と、第（２ｎ−１）番目の画素の信号とが同一タイミングで出力される。
【００６４】
なお、図においては、単純化ｎ＝４の場合を示しているか゛、例えばｎ＝１０２４などのその他の受光素子数であっても同様である。
【００６５】
出力画像信号ＯＳ＿１及びＯＳ＿２は、画像処理手段６３により、１、２、３、４，５，６，７，８の順に並べ替え処理されて、４００ｄｐｉでモノクロ原稿を読み取って得た１副走査ライン分の画像データとして出力される。
【００６６】
ただし、単位蓄積時間Ｔ、つまり、受光素子群９０を構成する受光素子の特性上、それ以上短くすると出力画像の画質に問題がでるため、蓄積時間をそれ以上には短くすることができない時間である、単位蓄積時間Ｔよりも短い時間間隔で、特定の受光素子から連続的に画像信号を得ることはできない。
【００６７】
図６に、図５に示したタイミング関係と関連する、４００ｄｐｉによりモノクロ原稿を読み取る場合の、シフトパルス信号と、リークパルス信号と、Ｇ光源点灯信号と、出力画像信号とのタイミング関係について示す。
【００６８】
図６においては、単位蓄積時間Ｔ間隔で、シフトパルス信号ＳＨ１，ＳＨ２が同一タイミングでパルス状にアクティブになり、その単位蓄積時間Ｔ内で、Ｇ光源点灯信号が一定期間アクティブになる（対応するＧ光源７３が点灯する）。また、各副走査ラインについての出力画像信号ＯＳ＿１及びＯＳ＿２も、単位蓄積時間Ｔ間隔で順次出力される。
【００６９】
ただし、図に示すように、タイミングｔ１ないしｔ２の期間において、第（ｍ）の副走査ラインの分の出力画像信号ＯＳ＿１及びＯＳ＿２が出力されている期間に点灯しているＧ光源は、次ラインの第（ｍ＋１）の副走査ラインの位置の原稿画像に対応した電荷を受光素子群９０＿１、９０＿２に蓄積させていて、特定の副走査ラインにおける電荷蓄積の期間と、画像信号出力の期間とは周期Ｔ分だけの時間差をもつ。
【００７０】
なお、モノクロ画像の読み取りでは、光源は、白色などの単色の光源でよく、本実施の形態では、ＲＧＢのうちのＧ光源をモノクロ画像の読み取り用に用いているが、ＲまたはＢ光源をもちいてもよいのはいうまでもない。
【００７１】
図７に、図５及び図６に関連する、スキャナ６において、４００ｄｐｉによりモノクロ原稿を読み取る場合の、読み取り動作と、得られる画像との関係について模式的に示す図である。
【００７２】
同図において、第（ｍ）ラインなどの各読み取り副走査ラインの画像データは、Ｇ光源７３のみを点灯して得られるモノクロ（単色）の画像データであり、受光素子群９０における物理的な配置順序と同一順序のライン状の画像データとして得られる。
【００７３】
４００ｄｐｉの副走査方向の読み取り解像度に相当する１ライン分の副走査距離を単位副走査距離ｄとすると、主走査方向も４００ｄｐｉで読み取るため、読み取り画素の主走査方向の幅もｄとなり、４００ｄｐｉの画像データ１ライン分を得るために要する時間は、単位蓄積時間Ｔであるため、副走査方向の原稿の相対移動速度（副走査速度）は、（ｄ／Ｔ）となる。その（ｄ／Ｔ）は、４００ｄｐｉでモノクロ原稿を読み取り完了するまでに要する時間を反映している。
【００７４】
受光素子群９０を、奇数番目の受光素子群９０＿１と、偶数番目の受光素子群９０＿２とに分割しない、従来の画像読取装置における副走査速度も、（ｄ／Ｔ）であり、本実施の形態では、画像処理手段６３において、奇数画素からの出力画像信号ＯＳ＿１と偶数画素からの出力画像信号ＯＳ＿２とを受光素子群９０における物理的な配置に同一になるように並べ替える必要がある分、かえって煩雑になったようにも見えるが、受光素子群９０を、奇数番目の受光素子群９０＿１と、偶数番目の受光素子群９０＿２とに分割することで、以下説明するように、２００ｄｐｉでモノクロ原稿を読み取る場合に、従来の２００ｄｐｉでのモノクロ原稿の読み取りと比較して、２倍の副走査速度で、副走査方向及び主走査方向の解像度が２００ｄｐｉのモノクロ画像を得ることができるようになる。
【００７５】
図８に、スキャナ６において、２００ｄｐｉによりモノクロ原稿を読み取る場合の各センサ制御信号のタイミング関係について模式的に示す。
【００７６】
同図に示すタイミング関係は、図５に示した４００ｄｐｉによりモノクロ原稿を読み取る場合と類似のものであり、リークパルスＬ１，Ｌ２は、常にネガティブ状態を保ち、電子シャッター９１＿１、９１＿２が動作して蓄積電荷が画像信号として出力されずにリークされてしまうことがない点も同様である。
【００７７】
換言すれば、スキャナ６によるモノクロ原稿の読み取りでは、４００ｄｐｉでの読み取りの場合も、２００ｄｐｉの場合の読み取りの場合も、電子シャッター９１＿１、９１＿２は不要である（ただし、後述するカラー原稿の２００ｄｐｉでの読み取りには必要となる）。
【００７８】
図８において、図５と異なる点は、共に単位蓄積時間Ｔの間隔でパルス状にアクティブとなるシフトパルス信号ＳＨ１、及び、ＳＨ２が、互いにＴ／２だけタイミングがずれている点である。具体的には、シフトパルス信号ＳＨ１が、周期Ｔの間隔で、タイミングｔ１，ｔ２でアクティブになる一方、シフトパルス信号ＳＨ２が、周期Ｔの間隔で、Ｔ／２だけずれた、タイミングｔ１．５，ｔ２．５でアクティブになる。
【００７９】
それにより、受光素子群９０＿１、及び、９０＿２にそれぞれ蓄積された電荷は、互いにＴ／２だけずれたタイミングで、それぞれシフトレジスタ９３＿１、及び、９３＿２に並行移動され、それぞれ、出力画像信号ＯＳ＿１及びＯＳ＿２として、第（２ｎ）番目の画素の信号と、第（２ｎ−１）番目の画素の信号とが、Ｔ／２だけずれたタイミングで出力される。
【００８０】
なお、図においては、単純化してｎ＝４の場合を示しているが、例えばｎ＝１０２４などのその他の受光素子数であっても同様である。
【００８１】
出力画像信号ＯＳ＿１及びＯＳ＿２は、画像処理手段６３により処理されるが、画像処理手段６３では、タイミングｔ１ないしｔ２の期間に、出力画像信号ＯＳ＿１として得られる、第１、３、５、及び，７画素を第（ｍ）の副走査ラインとみなす一方、
タイミングｔ１．５ないしｔ２．５の期間に、出力画像信号ＯＳ＿２として得られる、第２、４、６、及び，８画素を第（ｍ＋１）の副走査ラインとみなす。
【００８２】
出力画像信号ＯＳ＿１及びＯＳ＿２は、共に、主走査方向２００ｄｐｉの読み取り解像度でモノクロ原稿を読み取っていることになるため、副走査方向も２００ｄｐｉ相当になるような副走査速度で読み取れば、主走査方向及び副走査方向共に２００ｄｐｉの画像を得ることができることになる（詳細は後述）。
【００８３】
図９に、図８に示したタイミング関係と関連する、２００ｄｐｉによりモノクロ原稿を読み取る場合の、シフトパルス信号と、Ｇ光源点灯信号と、出力画像信号とのタイミング関係について示す。
【００８４】
図９においては、単位蓄積時間Ｔ間隔で、シフトパルス信号ＳＨ１，ＳＨ２がＴ／２のタイミングだけずれてパルス状にアクティブになり、その単位蓄積時間Ｔ内で、Ｇ光源点灯信号が一定期間点灯する。また、各読み取り副走査ラインについての出力画像信号ＯＳ＿１及びＯＳ＿２も、Ｔ／２のタイミングだけずれて、単位蓄積時間Ｔ間隔で順次出力される。
【００８５】
ただし、図に示すように、タイミングｔ１ないしｔ２の期間において、第（ｍ）の副走査ラインの分の出力画像信号ＯＳ＿１が出力されている期間に点灯しているＧ光源は、出力画像信号ＯＳ＿１について次ラインの第（ｍ＋２）の副走査ラインの位置の原稿画像に対応した電荷を受光素子群９０＿１に蓄積させていて、特定の副走査ラインにおける電荷蓄積の期間と、画像信号出力の期間とは周期Ｔ分だけの時間差をもつ。
【００８６】
また、図に示すように、タイミングｔ１．５ないしｔ２．５の期間において、第（ｍ＋１）の副走査ラインの分の出力画像信号ＯＳ＿２が出力されている期間に点灯しているＧ光源は、出力画像信号ＯＳ＿２について次ラインの第（ｍ＋３）の副走査ラインの位置の原稿画像に対応した電荷を受光素子群９０＿２に蓄積させていて、特定の副走査ラインにおける電荷蓄積の期間と、画像信号出力の期間とは周期Ｔ分だけの時間差をもつ。
【００８７】
図１０に、図８及び図９に関連する、スキャナ６において、２００ｄｐｉによりモノクロ原稿を読み取る場合の、読み取り動作と、得られる画像との関係について模式的に示す図である。
【００８８】
同図において、第（ｍ）ラインなどの各読み取り副走査ラインの画像データは、Ｇ光源７３のみを点灯して得られるモノクロ（単色）の画像データであり、奇数番目の受光素子群９０＿１に由来する、奇数番目の画像データと、偶数番目の受光素子群９０＿２に由来する、偶数番目の画像データとがＴ／２のタイミングだけすれて交互に配置された画像データとして得られる。
【００８９】
ここで、読取制御手段６１は、スキャナモータ７１への副走査速度制御信号Ｓｆの制御により、副走査速度を、（４ｄ／Ｔ）、つまり、図７に示した、４００ｄｐｉの場合の（ｄ／Ｔ）の４倍にしてモノクロ原稿を読み取る。
【００９０】
そのため、奇数番目の画像データと、偶数番目の画像データとは、副走査方向の２００ｄｐｉに相当する２ｄの間隔で交互に得られことになる。ただし、奇数番目の画像データと、偶数番目の画像データとは、主走査方向に互いに距離ｄ（４００ｄｐｉ相当）だけずれるため、主走査方向×副走査方向の画素サイズが２ｄ×２ｄの２００ｄｐｉ相当の画素サイズにおいて、その読み取り中心が、主走査方向にｄだけずれる。しかし、２００ｄｐｉの画像として得る場合には、そのｄのずれによる画質への影響はほとんどない。
【００９１】
一方、従来の画像読取装置において副走査方向×主走査方向の解像度が、２００ｄｐｉ×２００ｄｐｉの画像を得る場合には、図１１に示す従来例の場合のように、主走査方向４００ｄｐｉ相当の受光素子群９０を、共に主走査方向２００ｄｐｉ相当の奇数番目の受光素子群９０＿１と偶数番目の受光素子群９０＿２とに分割して読み出すのではなく、副走査方向は、２００ｄｐｉで読み取り、主走査方向は４００ｄｐｉで読み取って、主走査方向の隣接する２画素の論理和をとるなどして２画素を１画素に間引く処理を行うことにより２００ｄｐｉに間引いて（主走査方向を４００ｄｐｉにより読み取って得た情報を一部捨てて）いた。
【００９２】
そのため、副走査速度は、２ｄ／Ｔが限度であった。
【００９３】
つまり、従来は、主走査方向４００ｄｐｉ×副走査方向４００ｄｐｉで読み取る場合には、全て有効利用されが、主走査方向２００ｄｐｉ×副走査方向２００ｄｐｉで読み取る場合には、一部間引かれて廃棄されていた主走査方向の４００ｄｐｉ相当の画像データを、受光素子群９０を、奇数番目の受光素子群９０＿１と偶数番目の受光素子群９０＿２とに分割することで、主走査方向２００ｄｐｉの２ライン分の画像データとして得ることができるように工夫することで、本実施の形態では、２００ｄｐｉ×２００ｄｐｉのモノクロ画像を、従来の２倍の速度で得ることができるようになる。
【００９４】
なお、以上の説明では、主走査方向４００ｄｐｉ×副走査方向４００ｄｐｉでモノクロ原稿を読み取り得ることが可能な画像読取装置において、主走査方向２００ｄｐｉ×副走査方向２００ｄｐｉのモノクロ画像を得る場合について説明したが、例えば、主走査方向８００ｄｐｉ×副走査方向４００ｄｐｉでモノクロ原稿を読み取り得ることが可能な画像読取装置において、主走査方向４００ｄｐｉ×副走査方向２００ｄｐｉのモノクロ画像を得る場合にも本発明は適用できる。
【００９５】
具体的には、主走査方向を解像度８００ｄｐｉで読み取る一方、１ライン分の副走査ライン画像を読み取るために単位蓄積時間Ｔを要するラインイメージセンサ６２により、副走査速度（ｄ／Ｔ）で副走査方向解像度４００ｄｐｉで原稿を読み取って、主走査方向解像度８００ｄｐｉ×副走査方向解像度４００ｄｐｉのモノクロ画像を、（ｄ／Ｔ）の副走査速度での読み取りにより得ることができる画像読取装置において、ラインイメージセンサ６２が備えるライン状に配列した受光素子群９０を、奇数番目の受光素子群９０＿１と、偶数番目の受光素子群９０＿２とが交互に配列されたものとして構成する一方、共に前記単位蓄積時間Ｔの間隔で、互いに（Ｔ／２）のタイミングだけずらして、受光素子群９０＿１と、受光素子群９０＿２とのそれぞれの受光素子群から、共に主走査方向の解像度が（８００ｄｐｉ／２）の副走査ライン画像を順次出力させると共に、副走査速度を（４ｄ／Ｔ）とし、受光素子群９０＿１と、受光素子群９０＿２とのそれぞれの受光素子群から、（Ｔ／２）のタイミングだけずれて出力される副走査ライン画像を画像処理手段６３が順に出力するようにすることで、（４ｄ／Ｔ）の副走査速度での読み取りにより、主走査方向解像度（８００ｄｐｉ／２＝４００ｄｐｉ）×副走査方向解像度（４００ｄｐｉ／２＝２００ｄｐｉ）のモノクロ画像を得ることも可能である。
【００９６】
また、例えば、主走査方向８００ｄｐｉ×副走査方向４００ｄｐｉでモノクロ原稿を読み取り得ることが可能な画像読取装置において、主走査方向２００ｄｐｉ×副走査方向１００ｄｐｉのモノクロ画像を得る場合にも本発明は適用できる。
【００９７】
つまり、主走査方向を解像度８００ｄｐｉで読み取る一方、１ライン分の副走査ライン画像を読み取るために単位蓄積時間Ｔを要するラインイメージセンサ６２により、副走査速度（ｄ／Ｔ）で副走査方向解像度４００ｄｐｉで原稿を読み取って、主走査方向解像度８００ｄｐｉ×副走査方向解像度４００ｄｐｉのモノクロ画像を、（ｄ／Ｔ）の副走査速度での読み取りにより得ることができる画像読取装置において、ラインイメージセンサ６２が備えるライン状に配列した受光素子群を、（Ｎ・ｎ＋１）（Ｎは４、ｎ＝０、１，２，３，…）番目の画素により構成される部分受光素子群ないし、（Ｎ・ｎ＋Ｎ）番目の画素により構成される部分受光素子群、つまり、（４ｎ＋１）番目の画素により構成される部分受光素子群、（４ｎ＋２）番目の画素により構成される部分受光素子群、（４ｎ＋３）番目の画素により構成される部分受光素子群、及び、（４・ｎ＋４）番目の画素により構成される部分受光素子群が交互に配列されたものとして構成する一方、全て単位蓄積時間Ｔの間隔で、互いに（Ｔ／４）のタイミングだけずらして、前記各部分受光素子群から、主走査方向の解像度が（８００ｄｐｉ／４）の副走査ライン画像を順次出力させると共に、副走査速度を（ｄ／Ｔ）×４×Ｍ（この場合Ｍ＝４）とし、前記各部分受光素子群から（Ｔ／４）のタイミングだけずれて出力される副走査ライン画像を画像処理手段６３が順に出力するようにすることで、（ｄ／Ｔ）×４×４の副走査速度（従来の４（Ｎ）倍）での読み取りにより、主走査方向解像度（８００ｄｐｉ／４＝２００ｄｐｉ）×副走査方向解像度（４００ｄｐｉ／４＝１００ｄｐｉ）のモノクロ画像を得ることも可能である。ＮやＭが３や５以上の場合、ＮとＭの値が異なる場合にも原理的には適用可能である。
【００９８】
以上、モノクロ原稿を読み取って４００ｄｐｉまたは２００ｄｐｉのモノクロ画像を得る場合などについて説明したが、次に、カラー原稿を読み取って４００ｄｐｉまたは２００ｄｐｉのカラー画像を得る場合について説明する。
【００９９】
図１２に、スキャナ６において、４００ｄｐｉによりカラー原稿を読み取る場合における、読取制御手段６１が出力する各センサ制御信号のタイミング関係について模式的に示す。
【０１００】
同図において、シフトパルス信号ＳＨ１、ＳＨ２、リークパルス信号Ｌ１，Ｌ２、や、出力画像信号ＯＳ＿１、ＯＳ＿２は、基本動作クロックφ１及びそのφ１と逆位相のφ２に同期してパルス状にアクティブになったり、各画素の受光素子からの画像信号を出力する。
【０１０１】
リークパルスＬ１，Ｌ２は、常にネガティブ状態を保ち、電子シャッター９１＿１、９１＿２が動作して蓄積電荷が画像信号として出力されずにリークされてしまうことはい。
【０１０２】
シフトパルスＳＨ１及びＳＨ２は、単位蓄積時間Ｔ間隔の同一タイミングｔ１で、アクティブパルスを出力し、それにより、受光素子群９０＿１、及び、９０＿２にそれぞれ蓄積された電荷は、それぞれシフトレジスタ９３＿１、及び、９３＿２に並行移動され、タイミングｔ２までの単位蓄積時間Ｔの間に、それぞれ、出力画像信号ＯＳ＿１及びＯＳ＿２として、第（２ｎ）番目の画素の信号と、第（２ｎ−１）番目の画素の信号とが同一タイミングで出力される。
【０１０３】
なお、図においては、単純化してｎ＝４の場合を示しているか゛、例えばｎ＝１０２４などのその他の受光素子数であっても同様である。
【０１０４】
出力画像信号ＯＳ＿１及びＯＳ＿２は、画像処理手段６３により、１、２、３、４，５，６，７，８の順に並べ替え処理されて、４００ｄｐｉでカラー原稿を読み取って得た１副走査ライン分の第１ないし第３の３原色としてのＲ、Ｇ、または、Ｂの色成分の画像データとして出力される。
【０１０５】
ただし、単位蓄積時間Ｔ、つまり、受光素子群９０を構成する受光素子の特性上、それ以上短くすると出力画像の画質に問題がでるため、蓄積時間をそれ以上には短くすることができない時間である、単位蓄積時間Ｔよりも短い時間間隔で、特定の受光素子から連続的に画像信号を得ることはできない。
【０１０６】
図１３に、図１２に示したタイミング関係と関連する、４００ｄｐｉによりカラー原稿を読み取る場合の、シフトパルス信号と、リークパルス信号と、Ｇ光源点灯信号と、出力画像信号とのタイミング関係について示す。
【０１０７】
図１３においては、単位蓄積時間Ｔ間隔で、シフトパルス信号ＳＨ１，ＳＨ２が同一タイミングでパルス状にアクティブになり、その単位蓄積時間Ｔ内で、Ｒ、ＧまたはＧ光源点灯信号が一定期間アクティブになる（対応する光源が点灯する）。また、各副走査ラインについての出力画像信号ＯＳ＿１及びＯＳ＿２も、単位蓄積時間Ｔ間隔で順次出力される。
【０１０８】
ただし、図に示すように、タイミングｔ１ないしｔ２の期間において、第（３ｍ）の副走査ラインの分のＢ成分の出力画像信号ＯＳ＿１及びＯＳ＿２が出力されている期間に点灯しているＲ光源は、次ラインの第（３ｍ＋１）の副走査ラインの位置のＲ成分の原稿画像に対応した電荷を受光素子群９０＿１、９０＿２に蓄積させていて、特定の副走査ラインにおける電荷蓄積の期間と、画像信号出力の期間とは周期Ｔ分だけの時間差をもつ。
【０１０９】
また、Ｂ成分の第（３ｍ）の副走査ライン、Ｒ成分の第（３ｍ＋１）の副走査ライン、及び、Ｇ成分の第（３ｍ＋２）の副走査ライン、により、第（ｍ）のカラーの副走査ラインが構成され、４００ｄｐｉの１ライン分のカラー画像を得るには、３Ｔの時間を要する。
【０１１０】
図１４に、図１２及び図１３に関連する、スキャナ６において、４００ｄｐｉによりカラー原稿を読み取る場合の、読み取り動作と、得られる画像との関係について模式的に示す図である。
【０１１１】
同図において、第（３ｍ＋１）ラインの副走査ラインの画像データは、Ｒ光源７２のみを点灯して得られるＲ成分の画像データであり、第（３ｍ＋２）ラインの副走査ラインの画像データは、Ｇ光源７３のみを点灯して得られるＧ成分の画像データであり、第（３ｍ＋３）ラインの副走査ラインの画像データは、Ｂ光源７４のみを点灯して得られるＢ成分の画像データであり、それら連続した副走査ラインとして得られる３原色の画像データは、受光素子群９０における物理的な配置順序と同一順序のライン状の画像データとして得られる。
【０１１２】
４００ｄｐｉの副走査方向の読み取り解像度に相当するカラー画像１ライン分の副走査距離を単位副走査距離ｄとすると、主走査方向も４００ｄｐｉで読み取るため、読み取り画素の主走査方向の幅もｄとなり、４００ｄｐｉの画像データ１ライン分を得るために要する時間は、ＲＧＢの各成分のラインにつき、単位蓄積時間Ｔを要するため、３ライン分で３Ｔの時間を要する。
【０１１３】
そのため、副走査方向の原稿の相対移動速度（副走査速度）は、（ｄ／３Ｔ）となる。その速度（ｄ／３Ｔ）は、４００ｄｐｉでカラー原稿を読み取り完了するのに要する時間を反映している。
【０１１４】
受光素子群９０を、奇数番目の受光素子群９０＿１と、偶数番目の受光素子群９０＿２とに分割しない、従来の画像読取装置における読み取り速度も、（ｄ／３Ｔ）であり、本実施の形態では、画像処理手段６３において、奇数画素からの出力画像信号ＯＳ＿１と偶数画素からの出力画像信号ＯＳ＿２とを受光素子群９０における物理的な配置に同一になるように並べ替える必要がある分、かえって煩雑になったようにも見えるが、受光素子群９０を、奇数番目の受光素子群９０＿１と、偶数番目の受光素子群９０＿２とに分割することで、以下説明するように、２００ｄｐｉでカラー原稿を読み取る場合に、従来の２００ｄｐｉでのカラー原稿の読み取りと比較して、１．５倍の読み取り速度で、副走査方向及び主走査方向の解像度が２００ｄｐｉのモノクロ画像を得ることができるようになる。
【０１１５】
図１５に、スキャナ６において、２００ｄｐｉによりカラー原稿を読み取る場合の各センサ制御信号のタイミング関係について模式的に示す。
【０１１６】
同図に示すタイミング関係は、図１２に示した４００ｄｐｉによりモノクロ原稿を読み取る場合と類似のものであるが、図１５において、図１２と異なる点は、リークパルスＬ１，Ｌ２が、パルス状にアクティブになり、電子シャッター９１＿１、９１＿２が動作して蓄積電荷が画像信号として出力されずにリークされてしまう場合があることと、共に単位蓄積時間Ｔの間隔でパルス状にアクティブとなるシフトパルス信号ＳＨ１、及び、ＳＨ２が、互いにＴ／２だけタイミングがずれている点と、
リークパルスＬ１がシフトパルス信号ＳＨ１とが、Ｔ／２のタイミングだけずれて、リークパルスＬ２がシフトパルス信号ＳＨ２とが、Ｔ／２のタイミングだけずれて、それぞれパルス状にアクティブになる点である。
【０１１７】
具体的には、シフトパルス信号ＳＨ１及びリークパルスＬ２が、周期Ｔの間隔で、タイミングｔ１，ｔ２でアクティブになる一方、
シフトパルス信号ＳＨ２及びリークパルスＬ１が、周期Ｔの間隔で、シフトパルス信号ＳＨ１及びリークパルスＬ２がに対して、Ｔ／２だけずれた、タイミングｔ１．５，ｔ２．５でアクティブになる。
【０１１８】
それにより、受光素子群９０＿１、及び、９０＿２にそれぞれ蓄積された電荷は、互いにＴ／２だけずれたタイミングで、それぞれシフトレジスタ９３＿１、及び、９３＿２に並行移動され、それぞれ、出力画像信号ＯＳ＿１及びＯＳ＿２として、第（２ｎ）番目の画素の信号と、第（２ｎ−１）番目の画素の信号とが、Ｔ／２だけずれたタイミングで出力される。
【０１１９】
ただし、タイミングｔ１ないしｔ２の期間に、受光素子群９０＿１に蓄積された電荷のうち、前半のタイミングｔ１ないしｔ１．５の期間に蓄積されたものは、タイミングｔ１．５でパルス状にアクティブになるリークパルスＬ１により、有効な画像信号とならずに捨てられることになる。
【０１２０】
また、タイミングｔ１．５ないしｔ２．５の期間に、受光素子群９０＿２に蓄積された電荷のうち、前半のタイミングｔ１．５ないしｔ２の期間に蓄積されたものは、タイミングｔ２でパルス状にアクティブになるリークパルスＬ２により、有効な画像信号とならずに捨てられることになる。
【０１２１】
なお、図においては、単純化してｎ＝４の場合を示しているが、例えばｎ＝１０２４などのその他の受光素子数であっても同様である。
【０１２２】
出力画像信号ＯＳ＿１及びＯＳ＿２は、画像処理手段６３により処理されるが、画像処理手段６３では、タイミングｔ１ないしｔ２の期間に、出力画像信号ＯＳ＿１として得られる、第１、３、５、及び，７画素を第（４ｍ）の副走査ラインとみなす一方、タイミングｔ１．５ないしｔ２．５の期間に、出力画像信号ＯＳ＿２として得られる、第２、４、６、及び，８画素を第（４ｍ＋１）の副走査ラインとみなす。
【０１２３】
出力画像信号ＯＳ＿１及びＯＳ＿２は、共に、主走査方向２００ｄｐｉの読み取り解像度でカラー原稿を読み取っていることになるため、副走査方向も２００ｄｐｉ相当になるような副走査速度で読み取れば、主走査方向及び副走査方向共に２００ｄｐｉのカラー画像を得ることができることになる（詳細は後述）。
【０１２４】
図１６に、図１５に示したタイミング関係と関連する、２００ｄｐｉによりカラー原稿を読み取る場合の、シフトパルス信号と、シフトパルス信号と、ＲＧＢの各光源点灯信号と、出力画像信号とのタイミング関係について示す。
【０１２５】
図１６においては、単位蓄積時間Ｔ間隔で、シフトパルス信号ＳＨ１及びリークパルスＬ２と、シフトパルス信号ＳＨ２及びリークパルスＬ１とがＴ／２のタイミングだけずれてパルス状にアクティブになるのは、図１５において説明した通りである。
【０１２６】
一方で、ＲＧＢの各光源点灯信号は、単位蓄積時間Ｔの半分のＴ／２の周期で繰り返し切り換え点灯される。
【０１２７】
具体的には、タイミングｔ１ないしｔ１．５でＲ光源７２が点灯し、タイミングｔ１．５ないしｔ２でＧ光源７３が点灯し、タイミングｔ２ないしｔ２．５でＢ光源７４が点灯し、タイミングｔ２．５ないしｔ３でＧ光源７３が点灯するというサイクルを１単位として、繰り返し切り換え点灯される。
【０１２８】
例えば、タイミングｔ１ないしｔ１．５で点灯するＲ光源７２による照明により、奇数番目の受光素子群９０＿１に電荷が蓄積されると共に、偶数番目の受光素子群９０＿２にも電荷が蓄積されるが、タイミングｔ１．５においてリークパルスＬ１がパルス状にアクティブになるため、奇数番目の受光素子群９０＿１に蓄積された電荷は捨てられる。しかし、偶数番目の受光素子群９０＿２に蓄積された電荷は、有効画像データとして出力される。
【０１２９】
Ｇ光源点灯信号は、常に、シフトパルスＳＨ１の周期の後半（シフトパルスＳＨ２の周期の前半）でアクティブになるため、出力画像信号ＯＳ１としては、Ｇ成分の画像信号のみが出力される。
【０１３０】
Ｒ光源点灯信号及びＢ光源点灯信号は、常に、シフトパルスＳＨ２の周期の後半（シフトパルスＳＨ１の周期の前半）で交互にアクティブになるため、出力画像信号ＯＳ２としては、Ｒ成分の画像信号とＢ成分の画像信号とが交互に出力される。
【０１３１】
そのようにして、出力画像信号ＯＳ１として出力される、第（４ｍ）、（４ｍ＋２）、（４ｍ＋４）…の各ラインの画像データと、出力画像信号ＯＳ２として出力される、第（４ｍ＋１）、（４ｍ＋３）…の各ラインの画像データとが、Ｔ／２のタイミングだけずれて、単位蓄積時間Ｔ間隔で順次出力される。
【０１３２】
図１７に奇数番目の受光素子群９０＿１を構成する特定の受光素子（２ｐ−１）における電荷蓄積及びリークの状態について模式的に示す。
【０１３３】
タイミングｔ１ないしｔ１．５の期間に点灯されるＲ光源７２により、Ｒ成分の画像信号に相当する電荷が蓄積されるが、タイミングｔ１．５でリークパルスＬ１がアクティブになってその電荷は捨てられ、タイミングｔ１．５ないしｔ２の期間に点灯されるＧ光源７３により、Ｇ成分に相当する電荷が蓄積されて、そのＧ成分の蓄積電荷のみが、第（４ｍ＋１）、第（４ｍ＋３）、第（４ｍ＋５）…の各副走査ライン分（Ｇ成分）の画像信号として出力されることになる。
【０１３４】
図１８に偶数番目の受光素子群９０＿２を構成する特定の受光素子（２ｐ）における電荷蓄積及びリークの状態について模式的に示す。
【０１３５】
タイミングｔ１．５ないしｔ２の期間に点灯されるＧ光源７３により、Ｇ成分の画像信号に相当する電荷が蓄積されるが、タイミングｔ２でリークパルスＬ２がアクティブになってその電荷は捨てられ、タイミングｔ２ないしｔ２．５の期間に点灯されるＢ光源７４により、Ｂ成分に相当する電荷が蓄積されて、そのＢ成分の蓄積電荷のみが、第（４ｍ＋４）の副走査ライン分（Ｂ成分）の画像信号として出力されることになる。
【０１３６】
同様に、タイミングｔ１ないしｔ１．５の期間に点灯されるＲ光源７２により、Ｒ成分に相当する電荷が蓄積されて、そのＲ成分の蓄積電荷のみが、第（４ｍ＋２）の副走査ライン分（Ｒ成分）の画像信号として出力されることになる。
【０１３７】
図１９に、図１５ないし図１８に関連する、スキャナ６において、２００ｄｐｉによりカラー原稿を読み取る場合の、読み取り動作と、得られる画像との関係について模式的に示す図である。
【０１３８】
同図において、第（４ｍ＋１）、第（４ｍ＋２）、第（４ｍ＋３）、第（４ｍ＋４）の４本の副走査ラインの画像データは、主走査２００ｄｐｉ×副走査２００ｄｐｉの１ライン分のカラー画像に対応するものである。
【０１３９】
そのうち、第（４ｍ＋１）及び第（４ｍ＋３）の副走査ラインは、Ｇ光源７３のみを点灯して得られるＧ成分の画像データであり、奇数番目の受光素子群９０＿１に由来する、奇数番目の画像データである。
【０１４０】
一方、第（４ｍ＋２）及び第（４ｍ＋４）の副走査ラインは、それぞれＲ成分及びＢ成分の画像データであり、偶数番目の受光素子群９０＿２に由来する、偶数番目の画像データである。
【０１４１】
その奇数番目の画像データと偶数番目の画像データとはＴ／２のタイミングだけすれて交互に配置された画像データとして得られる。
【０１４２】
ここで、読取制御手段６１は、スキャナモータ７１への副走査速度制御信号Ｓｆの制御により、副走査速度を（２ｄ／２Ｔ＝ｄ／Ｔ）、つまり、図１４に示した、４００ｄｐｉの場合の（ｄ／３Ｔ）の３倍にしてモノクロ原稿を読み取る。
【０１４３】
１ライン分のカラー画像に対応するＧＲＧＢの各ラインは、副走査方向の２００ｄｐｉに相当する２ｄの４分の１の間隔で交互に得られことになる。ただし、奇数番目の画像データ（Ｇ成分）と、偶数番目の画像データ（ＲまたはＢ成分）とは、主走査方向に互いに距離ｄ（４００ｄｐｉ相当）だけずれるため、主走査方向×副走査方向の画素サイズが２ｄ×２ｄの２００ｄｐｉ相当の画素サイズにおいて、その読み取り中心が、主走査方向にｄだけずれる。しかし、２００ｄｐｉのカラー画像として得る場合には、そのｄのずれによる画質への影響はほとんどない。
【０１４４】
また、第（４ｍ＋１）及び第（４ｍ＋３）の各奇数の副走査ラインにおいてＧ成分の画像データが重複して得られてしまうが、いずれか一方を単純に破棄するか、平均処理して１ライン分に統合してしまうことで、単純なＲＧＢ３原色のカラー画像として得ることができる。
【０１４５】
また、重複して得られるＧ成分の画像データは常に、奇数番目の出力画像信号ＯＳ１として得られるため、１ライン分の画像データへの変換処理は比較的単純で処理負担は少ない。
【０１４６】
また、Ｒ成分とＢ成分は、偶数番目の出力画像信号ＯＳ２として交互に得られるため、特別な処理は不要で処理負担は少ない。
【０１４７】
なお、重複する色成分は、Ｇ成分に限らず、ＲＧＲＢまたは、ＢＧＢＲというように、ＲまたはＢの色成分が重複するようにしてよいのはいうまでもない。
【０１４８】
一方、従来の画像読取装置において、副走査方向×主走査方向の解像度が、２００ｄｐｉ×２００ｄｐｉの画像を得る場合には、図２０に示す従来例の場合のように、主走査方向４００ｄｐｉ相当の受光素子群９０を、共に主走査方向２００ｄｐｉ相当の奇数番目の受光素子群９０＿１と偶数番目の受光素子群９０＿２とに分割して読み出すのではなく、副走査方向は、２００ｄｐｉで読み取り、主走査方向は４００ｄｐｉで読み取って、主走査方向の隣接する２画素の論理和をとるなどして２画素を１画素に間引く処理を行うことにより２００ｄｐｉに間引いて（主走査方向を４００ｄｐｉにより読み取って得た情報を一部捨てて）いた。
【０１４９】
そのため、副走査速度は、（２ｄ／３Ｔ）が限度であった。
【０１５０】
つまり、４００ｄｐｉ×４００ｄｐｉで読み取る場合には、全て有効利用されが、２００ｄｐｉ×２００ｄｐｉで読み取る場合には、一部間引かれて廃棄されていた主走査方向の４００ｄｐｉ相当の画像データを、受光素子群９０を、奇数番目の受光素子群９０＿１と偶数番目の受光素子群９０＿２とに分割することで、主走査方向２００ｄｐｉの２ライン分の画像データとして得ることができるようにすると共に、ＲＧＢの各光源の点灯タイミングを工夫することで、本実施の形態では、２００ｄｐｉ×２００ｄｐｉのカラー画像を、従来の１．５倍の速度で得ることができるようになる。
【０１５１】
次に、図１５ないし図１９に示した、スキャナ６における２００ｄｐｉのカラー画像の読み取りの別例について、図２１を参照して説明する。
【０１５２】
図２１に示すシフトパルス信号と、シフトパルス信号と、ＲＧＢの各光源点灯信号と、出力画像信号とのタイミング関係は、図１６に示したものの変形例であり、ＲＧＢの各光源の点灯タイミングが異なり、Ｇ成分で重複ラインが生じないようにした点が異なる。
【０１５３】
つまり、図２１においては、単位蓄積時間Ｔ間隔で、シフトパルス信号ＳＨ１及びリークパルスＬ２と、シフトパルス信号ＳＨ２及びリークパルスＬ１とがＴ／２のタイミングだけずれてパルス状にアクティブになるのは、図１６と同様である。
【０１５４】
また、ＲＧＢの各光源点灯信号は、単位蓄積時間Ｔの半分のＴ／２の周期で切り換え点灯される点も同様である。たたし、その点灯パターンが異なる。
【０１５５】
具体的には、タイミングｔ１ないしｔ１．５でＲ光源７２が点灯し、タイミングｔ１．５ないしｔ２でＧ光源７３が点灯し、タイミングｔ２ないしｔ２．５でＢ光源７４が点灯するというサイクルを１単位として、繰り返し切り換え点灯される。
【０１５６】
それにより、奇数番目の出力画像信号ＯＳ１としては、ＢＧＲＢＧＲ…の各色成分の主走査方向２００ｄｐｉの画像が得られる一方、偶数番目の出力画像信号ＯＳ２としては、ＲＢＧＲＢＧ…の各色成分の主走査方向２００ｄｐｉの画像が得られ、出力画像信号ＯＳ１とＯＳ２とは互いにＴ／２のずれをもって交互に得られるため、画像処理手段６３の出力として得られる画像としては、ＢＲＧＢＲＧＢＲＧ…というように、連続する３ラインで１ライン分のカラー画像を得ることができる。
【０１５７】
図２２に、図２１に関連する、スキャナ６において、２００ｄｐｉによりカラー原稿を読み取る場合の、読み取り動作と、得られる画像との関係について模式的に示す図である。
【０１５８】
同図において、第（３ｍ）、第（３ｍ＋１）、第（３ｍ＋２）の３本の副走査ラインの画像データは、主走査２００ｄｐｉ×副走査２００ｄｐｉの１ライン分のカラー画像に対応するものである。
【０１５９】
ここで、読取制御手段６１は、スキャナモータ７１への副走査速度制御信号Ｓｆの制御により、副走査速度を（４ｄ／３Ｔ）、つまり、図１４に示した、４００ｄｐｉの場合の（ｄ／３Ｔ）の４倍にしてモノクロ原稿を読み取る。
【０１６０】
１ライン分のカラー画像に対応するＲＧＢの各ラインは、副走査方向の２００ｄｐｉに相当する２ｄの３分の１の間隔で交互に得られことになる。ただし、奇数番目の画像データと、偶数番目の画像データとは、主走査方向に互いに距離ｄ（４００ｄｐｉ相当）だけずれるため、主走査方向×副走査方向の画素サイズが２ｄ×２ｄの２００ｄｐｉ相当の画素サイズにおいて、その読み取り中心が、主走査方向にｄだけずれる。しかし、２００ｄｐｉのカラー画像として得る場合には、そのｄのずれによる画質への影響はほとんどない。
【０１６１】
一方、従来の画像読取装置において、副走査方向×主走査方向の解像度が、２００ｄｐｉ×２００ｄｐｉの画像を得る場合には、図２０に示した従来例の場合のように、副走査速度は、（２ｄ／３Ｔ）が限度であった。
【０１６２】
つまり、４００ｄｐｉ×４００ｄｐｉで読み取る場合には、全て有効利用されが、２００ｄｐｉ×２００ｄｐｉで読み取る場合には、一部間引かれて廃棄されていた主走査方向の４００ｄｐｉ相当の画像データを、受光素子群９０を、奇数番目の受光素子群９０＿１と偶数番目の受光素子群９０＿２とに分割することで、主走査方向２００ｄｐｉの２ライン分の画像データとして得ることができるようにすると共に、ＲＧＢの各光源の点灯タイミングを工夫することで、この別例では、２００ｄｐｉ×２００ｄｐｉのカラー画像を、従来の２倍の速度で得ることができるようになる。
【０１６３】
以上したように、本実施の形態によれば、主走査方向４００ｄｐｉの読み取り能力を２００ｄｐｉ×２ラインに分割して利用できるようにすることで、少なくとも主走査方向を２００ｄｐｉで読み取る際の読み取り速度を高速化することが可能となる効果が得られる。
【０１６４】
なお、以上説明した実施の形態においては、本発明に係る画像処理装置をファクシミリ装置に適用したが、本発明はそれに限らず、スキャナ装置、複写機、デジタル複写機などの、画像読取装置としての機能を備えた装置であれば、同様に適用できることはいうまでもない。
【０１６５】
【発明の効果】
請求項１に係る発明によれば、主走査方向解像度Ａ×副走査方向解像度Ｂのモノクロ画像を、（ｄ／Ｔ）の副走査速度での読み取りにより得ることができる画像読取装置において、主走査方向解像度（Ａ／２）×副走査方向解像度（Ｂ／２）のモノクロ画像を得る場合に、副走査速度を従来の２倍の（４ｄ／Ｔ）の速度で、従来と比較してほとんど画質の劣化なく読み取ることが可能となる効果が得られる。
【０１６６】
請求項２に係る発明によれば、主走査方向解像度Ａ×副走査方向解像度Ｂのモノクロ画像を、（ｄ／Ｔ）の副走査速度での読み取りにより得ることができる画像読取装置において、主走査方向解像度（Ａ／Ｎ）×副走査方向解像度（Ｂ／Ｍ）のモノクロ画像を得る場合に、副走査速度を従来のＮ倍の（ｄ／Ｔ）×Ｎ×Ｍの速度で、従来と比較してほとんど画質の劣化なく読み取ることが可能となる効果が得られる。
【０１６７】
請求項３に係る発明によれば、主走査方向解像度Ａ×副走査方向解像度Ｂのカラー画像を、（ｄ／３Ｔ）の副走査速度での読み取りにより得ることができる画像読取装置において、主走査方向解像度（Ａ／２）×副走査方向解像度（Ｂ／２）のカラー画像を得る場合に、副走査速度を従来の１．５倍の（ｄ／Ｔ）の速度で、従来と比較してほとんど画質の劣化なく読み取ることが可能となる効果が得られる。
【０１６８】
請求項４に係る発明によれば、主走査方向解像度Ａ×副走査方向解像度Ｂのカラー画像を、（ｄ／３Ｔ）の副走査速度での読み取りにより得ることができる画像読取装置において、主走査方向解像度（Ａ／２）×副走査方向解像度（Ｂ／２）のカラー画像を得る場合に、副走査速度を従来の２倍の（４ｄ／３Ｔ）の速度で、従来と比較してほとんど画質の劣化なく読み取ることが可能となる効果が得られる。
【図面の簡単な説明】
【図１】本発明の実施の形態に係る画像処理装置としてのファクシミリ装置のブロック構成について示す図である。
【図２】本発明の実施の形態に係るファクシミリ装置のスキャナの構成について示す図である。
【図３】本発明の実施の形態に係るスキャナの副走査機構について模式的に示す図である。
【図４】本発明の実施の形態に係るスキャナのラインイメージセンサの構成について示す図である。
【図５】本発明の実施の形態に係るスキャナにおいて、４００ｄｐｉによりモノクロ原稿を読み取る場合の各センサ制御信号のタイミング関係について模式的に示す図である。
【図６】本発明の実施の形態に係るスキャナにおいて、４００ｄｐｉによりモノクロ原稿を読み取る場合の、シフトパルス信号と、Ｇ光源点灯信号と、出力画像信号とのタイミング関係について示す図である。
【図７】本発明の実施の形態に係るスキャナにおいて、４００ｄｐｉによりモノクロ原稿を読み取る場合の、読み取り動作と、得られる画像との関係について模式的に示す図である。
【図８】本発明の実施の形態に係るスキャナにおいて、２００ｄｐｉによりモノクロ原稿を読み取る場合の各センサ制御信号のタイミング関係について模式的に示す図である。
【図９】本発明の実施の形態に係るスキャナにおいて、２００ｄｐｉによりモノクロ原稿を読み取る場合の、シフトパルス信号と、Ｇ光源点灯信号と、出力画像信号とのタイミング関係について示す図である。
【図１０】本発明の実施の形態に係るスキャナにおいて、２００ｄｐｉによりモノクロ原稿を読み取る場合の、読み取り動作と、得られる画像との関係について模式的に示す図である。
【図１１】従来の方式で、２００ｄｐｉによりモノクロ原稿を読み取る場合の、読み取り動作と、得られる画像との関係について模式的に示す図である。
【図１２】本発明の実施の形態に係るスキャナにおいて、４００ｄｐｉによりカラー原稿を読み取る場合の各センサ制御信号のタイミング関係について模式的に示す図である。
【図１３】本発明の実施の形態に係るスキャナにおいて、４００ｄｐｉによりカラー原稿を読み取る場合の、シフトパルス信号と、リークパルス信号と、ＲＧＢの各光源点灯信号と、出力画像信号とのタイミング関係について示す図である。
【図１４】本発明の実施の形態に係るスキャナにおいて、４００ｄｐｉによりカラー原稿を読み取る場合の、読み取り動作と、得られる画像との関係について模式的に示す図である。
【図１５】本発明の実施の形態に係るスキャナにおいて、２００ｄｐｉによりカラー原稿を読み取る場合の各センサ制御信号のタイミング関係について模式的に示す図である。
【図１６】本発明の実施の形態に係るスキャナにおいて、２００ｄｐｉによりカラー原稿を読み取る場合の、シフトパルス信号と、リークパルス信号と、ＲＧＢの各光源点灯信号と、出力画像信号とのタイミング関係について示す図である。
【図１７】本発明の実施の形態に係るスキャナにおいて、２００ｄｐｉによりカラー原稿を読み取る場合の、奇数の受光素子群についての、シフトパルス信号と、リークパルス信号と、ＲＧＢの各光源点灯信号と、出力画像信号とのタイミング関係について示す図である。
【図１８】本発明の実施の形態に係るスキャナにおいて、２００ｄｐｉによりカラー原稿を読み取る場合の、偶数の受光素子群についての、シフトパルス信号と、リークパルス信号と、ＲＧＢの各光源点灯信号と、出力画像信号とのタイミング関係について示す図である。
【図１９】本発明の実施の形態に係るスキャナにおいて、２００ｄｐｉによりカラー原稿を読み取る場合の、読み取り動作と、得られる画像との関係について模式的に示す図である。
【図２０】従来の方式で、２００ｄｐｉによりカラー原稿を読み取る場合の、読み取り動作と、得られる画像との関係について模式的に示す図である。
【図２１】本発明の実施の形態に係るスキャナにおいて、２００ｄｐｉによりカラー原稿を読み取る場合の、シフトパルス信号と、リークパルス信号と、ＲＧＢの各光源点灯信号と、出力画像信号との、図１６とは別のタイミング関係について示す図である。
【図２２】本発明の実施の形態に係るスキャナにおいて、２００ｄｐｉによりカラー原稿を読み取る場合の、図１９とは別の、読み取り動作と、得られる画像との関係について模式的に示す図である。
【符号の説明】
１  ファクシミリ装置（画像読取装置）
２  ＣＰＵ
３  ＲＯＭ
４  ＲＡＭ
５  操作表示部
６  スキャナ
７  プロッタ
８  パラメータメモリ
９  タイマ制御部
１０  符号化復号化部
１１  通信制御部
１２  モデム
１３  網制御部
１４  システムバス
２０  回線
【図１】
2005020122.tif 000003
【図２】
2005020122.tif 000004
【図３】
2005020122.tif 000005
【図４】
2005020122.tif 000006
【図５】
2005020122.tif 000007
【図６】
2005020122.tif 000008
【図７】
2005020122.tif 000009
【図８】
2005020122.tif 000010
【図９】
2005020122.tif 000011
【図１０】
2005020122.tif 000012
【図１１】
2005020122.tif 000013
【図１２】
2005020122.tif 000014
【図１３】
2005020122.tif 000015
【図１４】
2005020122.tif 000016
【図１５】
2005020122.tif 000017
【図１６】
2005020122.tif 000018
【図１７】
2005020122.tif 000019
【図１８】
2005020122.tif 000020
【図１９】
2005020122.tif 000021
【図２０】
2005020122.tif 000022
【図２１】
2005020122.tif 000023
【図２２】
2005020122.tif 000024